(57)【要約】【課題】原稿領域を正確に抽出して、両面原稿時の裏写りの発生を低減できるとともに、原稿画像の欠落及び原稿以外の画像の映り込みを確実に防止できるようにする。【解決手段】不定形原稿Ｄが画像面を下向きにして原稿台２に載置された場合、可変色パネル４の全面を第１色Ｃ１にした状態で第１予備画像Ｇ１を読み取り、可変色パネル４の全面を第２色Ｃ２にした状態で第２予備画像Ｇ２を読み取る。第１予備画像Ｇ１から第１色の範囲Ｅ１を抽出し、第２予備画像Ｇ２から第２色の範囲Ｅ２を抽出する。範囲Ｅ１と範囲Ｅ２との重複範囲を原稿外領域Ａ１とし、原稿台２における原稿外領域Ａ１以外の領域を原稿領域Ａ２とする。【選択図】図１
2014107638.tif 000002
【特許請求の範囲】
【請求項１】
上面に原稿が載置される透明板状体の原稿台と、
前記原稿台の上面を開閉自在に支持された原稿カバーと、
前記原稿台の全面に対向するように前記原稿カバーの下面に配置され、全面について単位面積毎に色相又は濃度を変更自在にされた可変色パネルと、
前記原稿台の下方から前記原稿台の上方の画像を読み取る読取素子と、
前記可変色パネルの色相又は濃度を変更するとともに前記読取素子の動作を制御する制御部と、を備え、
前記制御部は、前記原稿台上面に原稿が載置された状態で、前記可変色パネルの全面を互いに異なる第１及び第２の色相及び濃度として前記原稿台の全面を前記読取素子によって読み取る第１予備読取処理及び第２予備読取処理を行い、前記第１予備読取処理で前記第１の色相及び濃度と同じ色相及び濃度が読み取られた領域と前記第２予備読取処理で前記第２の色相及び濃度と同じ色相及び濃度が読み取られた領域との重複領域以外の領域を原稿領域とし、前記可変色パネルにおける前記原稿領域に対向する部分の反射率を原稿領域以外に対向する部分よりも低くして原稿の画像を読み取る原稿読取処理を行う原稿読取装置。
【請求項２】
前記制御部は、原稿サイズが不定形サイズである時に前記第１及び第２予備読取処理による前記原稿領域の特定を行い、原稿サイズが定形サイズである時にサイズ情報に基づいて前記原稿領域の特定を行い、前記可変色パネルにおける前記原稿領域に対向する部分の反射率を前記原稿領域以外に対向する部分よりも低くして原稿の画像を読み取る請求項１に記載の原稿読取装置。
【請求項３】
前記原稿台上面に載置された原稿のサイズを検出するサイズ検出部材を備えた請求項２に記載の原稿読取装置。
【請求項４】
前記制御部は、前記原稿読取処理時に前記可変色パネルにおける前記原稿領域に対向する部分の濃度を前記原稿領域以外に対向する部分よりも高くする請求項１乃至３の何れかに記載の原稿読取装置。
【請求項５】
請求項１乃至４の何れかに記載の原稿読取装置と、
前記原稿読取装置が読み取った画像に基づいて用紙に対する画像形成を行う画像形成部と、を備えた画像形成装置。
【発明の詳細な説明】
【技術分野】
【０００１】
この発明は、原稿の画像を読み取る原稿読取装置に関し、特に両面原稿の読取時の裏写りを防止できる原稿読取装置に関する。
【背景技術】
【０００２】
スキャナ装置や複写機の原稿読取ユニット等の原稿読取装置は、透明平板の原稿台、原稿台上面を被覆する原稿カバー、原稿台の下方に配置された光源及び読取素子を備えている。原稿が載置された原稿台上面を原稿カバーによって被覆した状態で、原稿の下側面に光源の光を照射し、原稿の下側面での反射光を読取素子によって読み取る。原稿カバーの下面は、原稿台よりも小さい原稿が原稿台上に載置された場合にも、読取素子が原稿範囲外から不要な画像を読み取ることがないように白色にされている。
【０００３】
ところが、原稿台上に比較的薄い原稿が載置された場合、光源の光が原稿を透過して原稿カバーの下面で反射した後、再度原稿を透過して読取素子に読み取られる。この結果、原稿が上側面にも画像を有する両面原稿であると、原稿の下側面の画像に上側面の画像が重なって読み取られ、所謂裏写りを生じる。
【０００４】
そこで、従来の原稿読取装置では、原稿カバーの下面に可変色パネルを配置したものがある。定形サイズ以外のサイズの原稿を読み取る時には可変色パネルの色を原稿の地色と同色と見做せる色に制御し、定形サイズの原稿を読み取る時には可変色パネルの色を黒色にする（例えば、特許文献１参照。）。また、可変色パネルを濃系色にした状態と淡系色にした状態とのそれぞれで原稿の非画像領域を読み取った際の光量の差に基づいて、可変色パネルの濃系色にした状態で読み取った原稿の画像を補正するものがある（例えば、特許文献２参照。）。
【先行技術文献】
【特許文献】
【０００５】
【特許文献１】特開２００１−２１８０１８号公報
【特許文献２】特開２００８−２７７９０２号公報
【発明の概要】
【発明が解決しようとする課題】
【０００６】
しかし、特許文献１に記載された発明では、定形サイズ以外のサイズの薄い両面原稿の読取時に裏写りを生じてしまう。特許文献２に記載された発明では、原稿内に濃系色の可変色パネルと反射光量が同じ領域が存在すると、この領域が原稿外であると判断され、原稿の画像を正確に読み取れない場合を生じる。
【０００７】
この発明の目的は、原稿領域を正確に抽出し、両面原稿時の裏写りの発生を低減できるとともに、原稿画像の欠落及び原稿以外の画像の映り込みを確実に防止できる原稿読取装置を提供することにある。
【課題を解決するための手段】
【０００８】
この発明の原稿読取装置は、原稿台、原稿カバー、可変色パネル、読取素子、及び制御部を備えている。原稿台は、上面に原稿が載置される透明板状体である。原稿カバーは、原稿台の上面を開閉自在に支持されている。可変色パネルは、原稿台の全面に対向するように原稿カバーの下面に配置され、全面について単位面積毎に色相又は濃度を変更自在にされている。読取素子は、原稿台の下方から原稿台の上方の画像を読み取る。制御部は、可変色パネルの色相又は濃度を変更するとともに読取素子の動作を制御する。制御部は、原稿台上面に原稿が載置された状態で、可変色パネルの全面を互いに異なる第１及び第２の色相及び濃度として原稿台の全面を読み取る第１予備読取処理及び第２予備読取処理を行い、第１予備読取処理で第１の色相及び濃度と同じ色相及び濃度が読み取られた領域と第２予備読取処理で第２の色相及び濃度と同じ色相及び濃度が読み取られた領域との重複領域以外の領域を原稿領域とし、可変色パネルにおける原稿領域に対向する部分の反射率を原稿領域以外に対向する部分よりも低くして原稿の画像を読み取る原稿読取処理を行う。
【０００９】
この構成によれば、原稿台に原稿が載置された後、原稿読取処理の前に、第１及び第２予備読取処理が行われる。第１予備読取処理では、可変色パネルの全面を第１の色相及び濃度にした状態で原稿台の全面が読み取られる。第２予備読取処理では、可変色パネルの全面を第２の色相及び濃度にした状態で原稿台の全面が読み取られる。第１及び第２予備読取処理で読み取られた原稿台全面の画像中で、第１の色相及び濃度と同一の領域と第２の色相及び濃度と同一の領域との重複する領域以外の領域が原稿領域とされる。可変色パネルにおける原稿領域に対向する部分の色相及び濃度を他の部分よりも反射率の低い状態にして原稿の画像が読み取られる。原稿サイズが定形であるか不定形であるかに関わらず、原稿領域が正確に抽出され、両面原稿時の裏写りの発生が低減されるとともに、原稿画像の欠落及び原稿以外の画像の映り込みが確実に防止される。
【００１０】
この構成において、制御部は、原稿サイズが不定形サイズである時に第１及び第２予備読取処理による原稿領域の特定を行い、原稿サイズが定形サイズである時にサイズ情報に基づいて原稿領域の特定を行い、可変色パネルにおける原稿領域に対向する部分の反射率を原稿領域以外に対向する部分よりも低くして原稿の画像を読み取るものであることが好ましい。定形サイズの原稿については、第１及び第２予備読取処理による原稿領域の特定を行うことなく、原稿の画像の読取処理を早期に完了できる。
【００１１】
原稿台上面に載置された原稿のサイズを検出するサイズ検出部材を備えることが好ましい。原稿が定形サイズである場合には、サイズ検出部材が検出した原稿のサイズに基づいて原稿領域を特定できる。
【００１２】
サイズ検出部材は、原稿の幅方向及び長さ方向のそれぞれについて複数の定形サイズを検出するものであることが好ましい。原稿の幅方向及び長さ方向のそれぞれの検出結果が同一でない場合に不定形サイズの原稿であると判断できる。
【００１３】
制御部は、原稿読取処理時に可変色パネルにおける原稿領域に対向する部分の濃度を原稿領域以外に対向する部分よりも高くすることが好ましい。原稿カバーの下面における原稿に対向する部分の濃度が高くされることで反射率が低下し、両面原稿の裏写りの発生が低減される。
【００１４】
また、上述の構成を備えた原稿読取装置と、原稿読取装置が読み取った画像に基づいて用紙に画像を形成する画像形成部と、を備えることで、原稿の画像を正確に再現することができる。
【発明の効果】
【００１５】
この発明によれば、原稿領域を正確に抽出することができ、両面原稿時の裏写りの発生を低減できるとともに、原稿画像の欠落及び原稿以外の画像の映り込みを確実に防止できる。
【図面の簡単な説明】
【００１６】
【図１】この発明の実施形態に係る原稿読取装置の外観図である。
【図２】同原稿読取装置を備えた画像形成装置の概略の断面図である。
【図３】同原稿読取装置のブロック図である。
【図４】同原稿読取装置の制御部の処理手順の一部を示すフローチャートである。
【図５】（Ａ）〜（Ｉ）は、同原稿読取装置の処理内容を示す概略図である。
【発明を実施するための形態】
【００１７】
図１に示すように、この発明の実施形態に係る原稿読取装置１０は、本体１、原稿台２、原稿カバー３及び可変色パネル４を備えている。本体１は、上面に原稿台２を備えている。原稿台２は、硬質ガラス等の透明平板で構成されている。原稿カバー３は、ヒンジ４を介して本体１の上面に軸支されており、本体１の上面を開放及び被覆自在にされている。可変色パネル４は、原稿カバー３の内側面に配置されており、原稿台２の全面と同一の面積にされている。原稿カバー３によって本体１の上面を被覆した際に、可変色パネル４の全面が原稿台２の上面の全面に対向する。
【００１８】
可変色パネル４は、全面について単位面積毎に色相又は濃度を変更自在にされており、一例として液晶パネルで構成されている。可変色パネル４は、原稿台２の上面に載置された原稿に対向する部分の反射率が他の部分よりも低くなるように、部分的に色相又は濃度を変更して駆動させる。可変色パネル４は、例えば、原稿に対向する部分が黒色にされ、他の部分が白色にされる。
【００１９】
なお、可変色パネル４は、電子ペーパで構成することもできる。また、可変色パネル４は、シート状の可逆性感熱材料とマトリクス状に配置した発熱素子とで構成することもできる。
【００２０】
図２に示すように、画像形成装置１００は、原稿読取装置１０、画像形成部１０１、用紙収納部１０２、用紙搬送部１０３、用紙排紙部１０４を備えている。画像形成部１０１は、一例として、原稿読取装置１０が読み取った原稿の画像に基づく電子写真方式の画像形成により、用紙収納部１０２から用紙搬送部１０３によって搬送された用紙に画像を形成して用紙排紙部１０４に排出する。なお、画像形成部１０１は、インクジェット方式の画像形成を行うものであってもよい。
【００２１】
原稿読取装置１０の本体１の内部には、第１ミラーベース１１、第２ミラーベース１２、ＣＣＤ１３、制御部１４、モータ１５が収納されている。第１ミラーベース１１は、光源１６及び第１ミラー１７を搭載している。第２ミラーベース１２は、第２ミラー１８及び第３ミラー１９を搭載している。第１ミラーベース１１及び第２ミラーベース１２は、モータ１５の回転により、本体１の内部で原稿台２に平行に往復移動する。第２ミラーベース１２の移動速度は、第１ミラーベース１１の１／２にされている。
【００２２】
第１ミラーベース１１及び第２ミラーベース１２が往動する間に、光源１６から照射された光が原稿台２に向けて照射され、原稿台２の上側で反射した反射光が第１〜第３ミラー１７〜１９を順に経由して光路長を一定にしてＣＣＤ１３によって受光される。ＣＣＤ１３は、受光量に応じた信号を制御部１３に出力する。
【００２３】
また、原稿読取装置１０の本体１の内部には、原稿台２に近接した位置に、この発明のサイズ検出部材に相当する２つのサイズ検出センサ２１，２２が配置されている。２つのサイズ検出センサ２１，２２は、それぞれ発光素子、複数の受光素子及びグレイティング素子からなり、それぞれ原稿台２の上面に載置された原稿の幅及び長さを検出する。発光素子から照射された光ビームは、グレイティング素子によって複数方向に分光されて原稿台２に向かい、原稿台２の上面に載置された原稿の下面を照射する。複数の光ビームの原稿における反射光のそれぞれは、複数の受光素子によって個別に受光される。
【００２４】
例えば、サイズ検出センサ２１において発光素子の光がＡ４サイズ、Ｂ４サイズ及びＡ３サイズの幅方向の位置に向かうようにグレイティング素子によって分光し、サイズ検出センサ２２において発光素子の光がＡ４サイズ、Ｂ４サイズ及びＡ３サイズの長さ方向の位置に向かうようにグレイティング素子によって分光する。サイズ検出センサ２１，２２の両方で、Ａ４サイズ及びＢ４サイズに対応する光ビームの反射光が受光され、Ａ３サイズに対応する光ビームの反射光が受光されない場合には、原稿サイズはＢ４であると判断できる。サイズ検出センサ２１，２２の受光状態が一致しない場合には、不定形サイズであると判断できる。
【００２５】
なお、サイズ検出センサ２１，２２は、原稿台２上に載置された原稿のサイズが定形サイズの何れであるか、又は不定形サイズであるかを検出できるものであれば、上記の構成に限らない。
【００２６】
図３に示すように、原稿読取装置１０の制御部１４は、ＲＯＭ１４２及びＲＡＭ１４３を備えたＣＰＵ１４１に、画像メモリ１４４、光源駆動回路１４５、モータ駆動回路１４６、液晶駆動回路１４７、Ａ／Ｄ変換器１４８を接続して構成されている。
【００２７】
光源駆動回路１４５は、ＣＰＵ１４１から出力された駆動データに基づいて光源１６を駆動する。モータ駆動回路１４６は、ＣＰＵ１４１から出力された駆動データに基づいてモータ１５を駆動する。液晶駆動回路１４７は、ＣＰＵ１４１から出力された駆動データに基づいて可変色パネル４を駆動する。Ａ／Ｄ変換器１４８は、ＣＣＤ１３の出力信号をディジタルデータに変換してＣＰＵ１４１に入力する。ＣＰＵ１４１は、Ａ／Ｄ変換器１４８から入力されたデータを画像データとして画像メモリ１４４に格納する。
【００２８】
ＣＰＵ１４１には、サイズ検出センサ２１，２２の検出信号がインタフェース１５１，１５２を介して入力される。ＣＰＵ１４１は、入力された検出信号に基づいて原稿サイズを判定する。ＣＰＵ１４１は、ＲＯＭ１４２に予め書き込まれたプログラムに従って各入出力機器を統括して制御する。この間に入出力されるデータは、ＲＡＭ１４３の所定のメモリアリアに格納される。また、ＣＰＵ１４１は、インタフェース１５３を介して画像形成装置１００の制御部に接続されている。
【００２９】
図４に示すように、ＣＰＵ１４１は、画像形成装置１００の制御部から原稿の読取指示が入力されると（Ｓ１）、サイズ検出センサ２１，２２の検出信号に基づいて原稿サイズを判別する（Ｓ２）。ＣＰＵ１４１は、サイズ検出センサ２１，２２のそれぞれの検出信号によって特定される原稿サイズが同一の定形サイズである場合には、その定形サイズを原稿のサイズであると判別する。ＣＰＵ１４１は、サイズ検出センサ２１，２２のそれぞれの検出信号によって特定される原稿サイズが同一の定形サイズでない場合には、原稿が不定形サイズであると判別する。
【００３０】
ＣＰＵ１４１は、不定形サイズであると判別した場合、可変色パネル４の全面を所定の第１色にして原稿台２の全面に対する画像の読取処理（第１予備画像読取処理）を行う（Ｓ３→Ｓ４，Ｓ５）。このとき、ＣＰＵ１４１は、光源駆動回路１４５及びモータ駆動回路１４６に駆動データを出力し、光源１６を点灯させて第１ミラーベース１１を原稿台２の全面について移動させる。ＣＰＵ１４１は、この間にＡ／Ｄ変換器１４８を介して入力されるＣＣＤ１６の出力データを第１予備画像として画像メモリ１４４に格納する（Ｓ６）。
【００３１】
さらに、ＣＰＵ１４１は、可変色パネル４の全面を所定の第２色にした状態で、光源１６を点灯させて第１ミラーベース１１を原稿台２の全面について移動させて原稿台２の全面に対する画像の読取処理（第２予備画像読取処理）を行う（Ｓ７，Ｓ８）。ＣＰＵ１４１は、この間にＡ／Ｄ変換器１４８を介して入力されるＣＣＤ１６の出力データを第２予備画像として画像メモリ１４４に格納する（Ｓ９）。
【００３２】
ＣＰＵ１４１は、第１予備画像における第１色と同色の領域と第２予備画像における第２色と同色の領域との重複領域以外を原稿領域として抽出する（Ｓ１０）。ＣＰＵ１４１は、可変色パネル４における原稿領域に対向する範囲のみを例えば黒色等の反射率の低い色にするとともに、原稿領域以外に対向する範囲を白色にし（Ｓ１１）、光源１６を点灯させて第１ミラーベース１１を原稿領域に移動させて読取処理（原稿読取処理）を行う（Ｓ１２）。
【００３３】
ＣＰＵ１４１は、ステップＳ３で原稿が定形サイズであると判別した場合には、判別した定形サイズを原稿領域としてステップＳ１１，Ｓ１２の処理を行う（Ｓ３→Ｓ１１）。
【００３４】
原稿が不定形サイズである場合、可変色パネル４の全面を所定の第１色にして読み取った第１予備画像における第１色の領域と、可変色パネル４の全面を所定の第１色にして読み取った第２予備画像における第２色の領域と、の重複領域以外を原稿領域と特定する。
【００３５】
以上の処理により、例えば、図５（Ａ）に示すように、不定形原稿Ｄが画像面を下向きにして原稿台２に載置された場合、まず、同図（Ｂ）に示すように可変色パネル４の全面を第１色Ｃ１にした状態で、同図（Ｃ）に示すように第１予備画像Ｇ１が読み取られる。次に、同図（Ｄ）に示すように可変色パネル４の全面を第２色Ｃ２にした状態で、同図（Ｄ）に示すように第２予備画像Ｇ２が読み取られる。
【００３６】
第１予備画像Ｇ１から同図（Ｆ）に示すように第１色の範囲Ｅ１が抽出され、第２予備画像Ｇ２から同図（Ｇ）に示すように第２色の範囲Ｅ２が抽出される。同図（Ｈ）に示すように範囲Ｅ１と範囲Ｅ２との重複範囲が原稿外領域Ａ１とされ、同図（Ｉ）に示すように原稿台２における原稿外領域Ａ１以外の領域が原稿領域Ａ２とされる。
【００３７】
したがって、原稿Ｄの画像面に第１色Ｃ１と同色の画像Ｄ１及び第２色Ｃ２と同色の画像Ｄ２が存在する場合でも、原稿台２の上面において不定形原稿Ｄが載置されている原稿領域Ａ２を正確に特定することができる。
【００３８】
例えば、可変色パネル４における原稿外領域Ａ１に対向する範囲を白色にするとともに、原稿領域Ａ２に対向する範囲を黒色にして原稿Ｄの画像を読み取ることにより、原稿Ｄが両面原稿である場合でも、裏写り、原稿画像の欠落及び原稿以外の画像の映り込みを生じることなく原稿の画像を正確に読み取ることができる。原稿外領域Ａ１に対向する範囲の可変色パネル４の色は白色に限るものではなく、原稿以外の画像の映り込みを防止できる色相及び濃度とすることができる。また、原稿領域Ａ２に対向する範囲の可変色パネル４の色は黒色に限るものではなく、薄手の両面原稿の読取時に裏写りを防止できる程度に反射率の低い色相及び濃度とすることができる。
【００３９】
原稿台２に載置された原稿Ｄが何れかの定形サイズであると検出された場合、検出されたサイズを原稿領域Ａ２、それ以外の領域を原稿外領域Ａ１として、可変色パネル４を同様駆動することで、裏写り、原稿画像の欠落及び原稿以外の画像の映り込みを生じることなく原稿の画像を正確に読み取ることができる。
【００４０】
なお、画像形成装置１００で定形原稿であるか不定形原稿であるかの入力操作を受け付け、この操作内容を原稿読取装置１０の制御部１４に送信するようにしてもよい。この場合、制御部１４は、画像形成装置１００から不定形原稿である旨を示すデータを受信した場合にのみ、図４の処理を実行する。
【００４１】
また、原稿が定形サイズであるか不定形サイズであるかに関わらず、制御部１４が常に図４に示す処理を実行するようにしてもよい。この場合には、サイズ検出センサ２１，２２を設ける必要はない。
【００４２】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４３】
１−本体
２−原稿台
３−原稿カバー
４−可変色パネル
１０−原稿読取装置
１２−光源
１３−ＣＣＤ（読取素子）
１４−制御部
１００−画像形成装置
【図１】
2014107638.tif 000003
【図２】
2014107638.tif 000004
【図３】
2014107638.tif 000005
【図４】
2014107638.tif 000006
【図５】
2014107638.tif 000007